(57)【要約】【課題】  砥石カバーに物が当たっても下ギアケースの回転を阻止する手段を提供する。【解決手段】  上ギアケース２の凹部２ａとそれに対向する下ギアケース３の凹部３ａの間に回り止め部材７を配置し、上ギアケース２に対して下ギアケース３が回転しようとすると、回り止め部材７がくさびのように働いて下ギアケース３の回転を阻止する構成とした。また、回り止め部材７のリブ７ｂが上ギアケース２の突出部２ｄに当接して、回り止め部材７の移動を阻止する構成とした。【選択図】図２
2010253564.tif 000002
【特許請求の範囲】
【請求項１】
上ギアケースと、該上ギアケースに螺着される下ギアケースとからなるギアハウジングと、該ギアハウジングに収容されたギア部により回転されるスピンドルと、該スピンドルに装着される円盤砥石とを有するグラインダにおいて、該上ギアケースの凹部とそれに対向する該下ギアケースの凹部との間に回り止め部材を配置したことを特徴とするグラインダ。
【請求項２】
該回り止め部材はリブを有し、該リブが該上ギアケースの突出部に当接して、該下ギアケースの回転にともなう該回り止め部材の移動を阻止することを特徴とする請求項１記載のグラインダ。
【発明の詳細な説明】
【技術分野】
【０００１】
本発明はグラインダに関し、特にグラインダの下ギアケースの回り止めに関するものである。
【背景技術】
【０００２】
図５は従来のグラインダ１００であるが、円盤砥石９を装着するスピンドル４に回転力を伝達するベベルギア等で構成されるギア部は上下のギアケース２００、３００で形成される空間に収められており、上下のギアケース２００、３００は螺着される構成となっていた。そして、下ギアケース３００の回り止めのために、ボルト８で下ギアケース３００を上ギアケース２００に締め付けて止めていた。このような例は、特許文献１の図７にも見られる。
【先行技術文献】
【特許文献】
【０００３】
【特許文献１】特開２００６−１８１６６７号公報
【発明の概要】
【発明が解決しようとする課題】
【０００４】
しかし、従来の止め方では下ギアケース３００の回転を阻止する効果は少なく、下ギアケース３００には砥石カバー１０が固着されているので、砥石カバー１０に物が当たると下ギアケース３００が回転して緩む恐れがあった。
【０００５】
本発明は、上記問題を解決するものであり、簡単な構成で砥石カバーに物が当たっても下ギアケースの回転を強力に阻止する手段を提供するものである。
【課題を解決するための手段】
【０００６】
上記目的を達成するために、上ギアケースに凹部を形成し、それに対向する下ギアケースの位置に凹部を形成し、２つの凹部の間に回り止め部材を配置した構成とした。また、回り止め部材のリブが上ギアケースの突出部に当接する構成とした。
【発明の効果】
【０００７】
本発明によれば、上下のギアケースの向かい合った凹部に回り止め部材が配置されているので、上ギアケースに対して下ギアケースが回転しようとすると、回り止め部材がくさびのように働いて下ギアケースの回転を阻止する効果がある。また、回り止め部材のリブが上ギアケースの突出部に当接して、下ギアケースの回転にともなう回り止め部材の移動を阻止する効果がある。
【図面の簡単な説明】
【０００８】
【図１】本発明にかかるグラインダの要部断面図である。
【図２】図１におけるＹ矢視図である。
【図３】回り止め部材の平面図である。
【図４】図２におけるＸ矢視断面図である。
【図５】従来のグラインダの要部断面図である。
【発明を実施するための形態】
【０００９】
以下、本発明を実施するための好適な実施形態について、図面に基づいて説明する。
【実施例１】
【００１０】
図１は本発明にかかるグラインダ１の要部の断面図で、分かりやすいように上ギアケース２と下ギアケース３の断面は斜線で示し、図５と同一の部品には同一の番号を付している。上ギアケース２の下端の内面と下ギアケース３の上端の外面にはネジが切ってあり、上ギアケース２に下ギアケース３をねじ込むことによって両者は結合し、ギアハウジングが形成される。ギアハウジング内には、モーターＭの出力軸５が突入しており、出力軸５の先端に固着されたべベルギアとスピンドル４に固着されたベベルギアとがかみ合ってスピンドル４へ回転を伝えている。４ａ、４ｂはスピンドル４を軸支するベアリングである。スピンドル４は下ギアケース３に形成された孔３ｂを貫通して下に突出し、その先端に円盤砥石９を装着する取り付け部６を備えている。１０は安全のために円盤砥石９をカバーする砥石カバーであって、下ギアケース３の下部に強く固着されている。
【００１１】
図２は、図１において円盤砥石９および砥石カバー１０を取り去って矢印Ｙ方向に見たものである。２ｂは、上ギアケース２の下端に形成されている壁状の端部であり、図示上下方向の略中央に凹部２ａが形成されている。３ａは、下ギアケース３に設けられた凹部であり、凹部２ａと凹部３ａが互いに向き合うよう、上ギアケース２に下ギアケース３を螺着後、ドリル加工により形成する。７は回り止め部材であり、８は回り止め部材７の抜け止め用のボルトである。図３に示すように、回り止め部材７の中央部は略円形であり、中心にはボルト８が貫通する孔７ａが形成されている。また、回り止め部材７の両サイドには角状のリブ７ｂ、７ｂが形成されている。図２に示すように、回り止め部材７がボルト８により固定された際、回り止め部材７の略円形の中央部は凹部２ａ、３ａとの間にわずかなすき間を有しているが、このすき間は無くてもよい。図４は図２におけるＸ矢視断面図であり、上ギアケース２に設けられた２つの凹部２ｃ、２ｃの間で少し下方へ突出した突出部２ｄにボルト８で回り止め部材７が係止されており、回り止め部材７のリブ７ｂ、７ｂは突出部２ｄを両側からはさむように構成されている。
【００１２】
以上の如く構成されたグラインダ１において、上ギアケース２の凹部２ａと下ギアケース３の凹部３ａが対向し、これら凹部２ａ、３ａ間に回り止め部材７が配置されているので、砥石カバー１０に物が当たって下ギアケースに強い回転力が働いても、回り止め部材７がくさびのような働きを発揮し、回転を阻止する。
【００１３】
下ギアケース３に強い回転力が働いた場合、回り止め部材７をＺ方向（図２、図４参照）へ移動しようとするが、リブ７ｂが上ギアケース２に形成されている突出部２ｄに当接し、その移動を阻止する。
【００１４】
本発明に係るグラインダ１は、上述した実施の形態に限定されず、特許請求の範囲で記載した範囲で種々の変形や改良が可能である。
【産業上の利用可能性】
【００１５】
この発明は、グラインダ等の研削機について有用である。
【符号の説明】
【００１６】
１                グラインダ
２                上ギアケース
３                下ギアケース
４                スピンドル
５                出力軸
７                回り止め部材
９                円盤砥石
１０              砥石カバー
【図１】
2010253564.tif 000003
【図２】
2010253564.tif 000004
【図３】
2010253564.tif 000005
【図４】
2010253564.tif 000006
【図５】
2010253564.tif 000007